Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
監視方向（１１１）の現場（１１２）を監視しているカメラ（１０１）の少なくともパンとチルトを、現在のパンとチルトの位置から、調整するように構成されているカメラ制御装置（１００）によって行われる方法であって、該方法は、
ユーザ入力装置（１２０）によって受ける該監視方向の角度調整を表す調整信号（１１０）を該ユーザ入力装置（１２０）から検出すること（３０１）と、
該現場における対象（１３３、１３４）の動きを表す代表的移動ベクトルを得ること（３０３）と、
該代表的移動ベクトルと該ユーザ入力装置（１２０）によって受ける監視方向の角度調整とに基づいて、補正される調整信号（１１６）を算出すること（３０５）と、
該補正される調整信号を用いて、該カメラの少なくともパンとチルトを調整すること（３０７）
とを含む方法。
【請求項２】
前記代表的移動ベクトルを得ることが、
第１の移動マップ（５００）において、前記監視方向に対応するマップ位置（５０２）を特定すること（３５１）と、
該第１の移動マップにおいて特定されたマップ位置から、該代表的移動ベクトルを読み取ること（３５３）
とを含む、請求項１に記載の方法。
【請求項３】
前記ユーザ入力装置（１２０）によって受ける監視方向の角度調整を用いて、複数の候補移動マップから前記第１の移動マップを選択すること（３５０）を含み、
各候補移動マップが、該ユーザ入力装置（１２０）によって受ける監視方向の角度調整に対応する、それぞれの典型的な移動方向に沿って調整される移動ベクトルを備える、
請求項２に記載の方法。
【請求項４】
前記第１の移動マップが、
前記現場の複数の画像を得ること（４０１）と、
該現場における複数の動く対象を特定すること（４０３）と、
該特定された動く対象に基づいて、該現場のそれぞれの部分（１３６、１３７）に対する代表的移動ベクトルを決定すること（４０５）と、
該移動ベクトルを該第１の移動マップに記憶すること（４０７）
とによって作成される、請求項２に記載の方法。
【請求項５】
前記候補移動マップが、
前記現場の複数の画像を得ること（４０１）と、
該現場における複数の動く対象を特定すること（４０３）と、
該特定された動く対象に基づいて、該現場のそれぞれの部分（１３６、１３７）に対する代表的移動ベクトルを決定すること（４０５）と、
該代表的移動ベクトルを、典型的な移動方向によって定義されている各グループに分類すること（４０６）と、
前記それぞれの典型的な移動方向に沿って調整される移動ベクトルを備える各候補移動マップにおける移動ベクトルを記憶すること（４０７）
とによって作成される、請求項３に記載の方法。
【請求項６】
前記調整信号が、前記ユーザ入力装置（１２０）によって受ける監視方向の角度調整を表すことに加えて、前記カメラのズームの所望の調整を表し、
さらに、該監視方向の現場における動く対象のサイズを表す代表的サイズ値を得ることを含み、
前記補正される調整信号の算出が、さらに、該代表的サイズ値に基づくと共に、
該補正される調整信号を用いる調整が、該カメラのパン、チルト及びズームを調整することを含む、請求項４に記載の方法。
【請求項７】
前記第１の移動マップにおいて特定されたマップ位置から、前記代表的サイズ値を読み取ることを含む、請求項６に記載の方法。
【請求項８】
前記特定された動く対象に基づいて、前記現場のそれぞれの部分に対する対象の代表的サイズを決定すること、および
前記第１の移動マップに該代表的サイズを記憶することを含む、請求項７に記載の方法。
【請求項９】
前記特定された動く対象に基づいて、前記現場のそれぞれの部分に対する対象の代表的サイズを決定すること、および
前記候補移動マップに該代表的サイズを記憶することを含む、請求項７に記載の方法。
【請求項１０】
監視方向（１１１）の現場（１１２）を監視しているカメラ（１０１）の少なくともパンとチルトを、現在のパンとチルトの位置から、調整するように構成されているカメラ制御装置（１００）であって、該カメラ制御装置は、プロセッサ（１０２）とメモリ（１０４）と入出力回路（１０６）とを備え、該メモリは、
ユーザ入力装置（１２０）によって受ける該監視方向の角度調整を表す調整信号（１１０）を該ユーザ入力装置（１２０）から検出し、
該現場における対象（１３３、１３４）の動きを表す代表的移動ベクトルを取得し、
該代表的移動ベクトルと該ユーザ入力装置（１２０）によって受ける監視方向の角度調整とに基づいて補正される調整信号（１１６）を算出し、
該補正される調整信号を用いて、該カメラの少なくともパンとチルトを調整する、
ための該カメラ制御装置を制御するための該プロセッサによって実行可能な命令を含んでいる、カメラ制御装置。
【請求項１１】
前記代表的移動ベクトルを取得することが、
第１の移動マップ（５００）において、前記監視方向に対応するマップ位置（５０２）を特定することと、
該第１の移動マップにおいて特定されたマップ位置から、該代表的移動ベクトルを読み取ること、
とを含む、請求項１０に記載のカメラ制御装置。
【請求項１２】
前記ユーザ入力装置（１２０）によって受ける監視方向の角度調整を用いて、複数の候補移動マップから前記第１の移動マップを選択するよう更に構成され、各候補移動マップが、該ユーザ入力装置（１２０）によって受ける監視方向の角度調整に対応する、それぞれの典型的な移動方向に沿って調整される移動ベクトルを備える、請求項１１に記載のカメラ制御装置。
【請求項１３】
前記第１の移動マップが、
前記現場の複数の画像を得ることと、
該現場における複数の動く対象を特定することと、
該特定された動く対象に基づいて、該現場のそれぞれの部分（１３６、１３７）に対する代表的移動ベクトルを決定することと、
該移動ベクトルを該第１の移動マップに記憶すること
によって作成される、請求項１１に記載のカメラ制御装置。
【請求項１４】
カメラ制御装置（１００）の少なくとも１つのプロセッサ（１０２）が実行されると、該カメラ制御装置に請求項１に記載の方法を実行させるコンピュータに読み取り可能な命令を記憶している非一時的なコンピュータ可読記憶媒体。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技媒体に関する所定の情報を表示可能な第１表示手段と、
管理情報を表示可能な第２表示手段と、
第１表示手段のセグメントを点灯させるための所定プログラムを少なくとも記憶した第１制御領域と、
第２表示手段のセグメントを点灯させるための特定プログラムを少なくとも記憶した第２制御領域と
を備え、
割込み処理によって、第１制御領域に記憶された所定プログラムと、第２制御領域に記憶された特定プログラムを実行可能とし、
第２表示手段は、第１表示部、第２表示部、第３表示部、及び第４表示部を有し、
第１表示部及び第２表示部により、管理情報として、所定の割合に関する情報を表示していることを示す所定の識別情報を表示可能とし、
第３表示部及び第４表示部により、管理情報として、前記所定の割合に関する情報を表示可能とする
ことを特徴とする遊技機。
【手続補正２】
【補正対象書類名】明細書
【補正対象項目名】０００１
【補正方法】変更
【補正の内容】
【０００１】
本発明は、管理情報を表示可能とする遊技機に関するものである。
【手続補正３】
【補正対象書類名】明細書
【補正対象項目名】０００４
【補正方法】変更
【補正の内容】
【０００４】
今般、遊技機（スロットマシン）のメイン制御基板に、有利区間割合等（管理情報）を表示可能な７セグを搭載することが検討されている。
一方、従来より、遊技機には、貯留数を表示する７セグや、獲得数を表示する７セグ等が設けられている。
このように７セグの数が増加したときに、管理情報を含む表示処理をどのように設計すべきかが問題となる。
本発明が解決しようとする課題は、管理情報を含む表示処理を適切に実行することである。
【手続補正４】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
なお、本願の当初請求項に係る発明は、後述する当初発明１〜４２のうち、当初発明３７に相当する。
本発明（第２０実施形態；図１２４）は、
遊技媒体に関する所定の情報を表示可能な第１表示手段（貯留数表示ＬＥＤ７６、又は獲得数表示ＬＥＤ７８）と、
管理情報を表示可能な第２表示手段（有利区間表示ＬＥＤ７７）と、
第１表示手段のセグメントを点灯させるための所定プログラム（ＬＥＤ表示制御（I_LED_OUT ））を少なくとも記憶した第１制御領域（ＲＯＭ５４の使用領域）と、
第２表示手段のセグメントを点灯させるための特定プログラム（比率表示処理（S_LED_OUT ））を少なくとも記憶した第２制御領域（ＲＯＭ５４の使用領域外）と
を備え、
割込み処理（I_INTR）によって、第１制御領域に記憶された所定プログラムと、第２制御領域に記憶された特定プログラムを実行可能とし、
第２表示手段は、第１表示部（デジット６）、第２表示部（デジット７）、第３表示部（デジット８）、及び第４表示部（デジット９）を有し、
第１表示部及び第２表示部により、管理情報として、所定の割合に関する情報を表示していることを示す所定の識別情報（情報種別）を表示可能とし、
第３表示部及び第４表示部により、管理情報として、前記所定の割合に関する情報（数値（比率））を表示可能とする
ことを特徴とする。
【手続補正５】
【補正対象書類名】明細書
【補正対象項目名】０００６
【補正方法】変更
【補正の内容】
【０００６】
本発明によれば、第１表示手段に係る所定プログラムと第２表示手段に係る特定プログラムとを分けて記憶しておき、それぞれ所定プログラム及び特定プログラムの実行により第１表示手段及び第２表示手段の表示を行うので、プログラムの記憶や実行を効率よく行うことができる。
また、第２表示手段の異なる表示部を用いて識別情報と所定の割合に関する情報とを表示するので、表示内容の明確化を図ることができる。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１制御手段と、
前記第１制御手段と通信可能な第２制御手段と、を備え、
前記第１制御手段は、前記第２制御手段と所定の通信ができない期間が特定期間を超えたときに、当該第２制御手段に対して特定信号を所定期間にわたって連続して供給する、
ことを特徴とする遊技機。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技区間として、
遊技者に有利な操作態様を報知しない第一区間と、
遊技者に有利な操作態様を報知可能な第二区間とを有し、
第二区間であることを報知可能な特定報知手段と、
管理情報を表示可能な所定の表示手段と、
前記特定報知手段を用いて報知させるための所定プログラムを少なくとも記憶した第１制御領域と、
前記所定の表示手段のセグメントを点灯させるための特定プログラムを少なくとも記憶した第２制御領域と
を備え、
割込み処理によって、第１制御領域に記憶された所定プログラムと、第２制御領域に記憶された特定プログラムを実行可能とし、
前記所定の表示手段は、第１表示部、第２表示部、第３表示部、及び第４表示部を有し、
第１表示部及び第２表示部により、管理情報として、所定の割合に関する情報を表示していることを示す所定の識別情報を表示可能とし、
第３表示部及び第４表示部により、管理情報として、前記所定の割合に関する情報を表示可能とする
ことを特徴とする遊技機。
【手続補正２】
【補正対象書類名】明細書
【補正対象項目名】０００１
【補正方法】変更
【補正の内容】
【０００１】
本発明は、管理情報を表示可能とする遊技機に関するものである。
【手続補正３】
【補正対象書類名】明細書
【補正対象項目名】０００４
【補正方法】変更
【補正の内容】
【０００４】
今般、遊技機（スロットマシン）のメイン制御基板に、有利区間割合等（管理情報）を表示可能な７セグを搭載することが検討されている。
一方、従来より、遊技機には、貯留数を表示する７セグや、獲得数を表示する７セグ等が設けられている。
このように７セグの数が増加したときに、管理情報を含む表示処理をどのように設計すべきかが問題となる。
本発明が解決しようとする課題は、管理情報を含む表示処理を適切に実行することである。
【手続補正４】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
なお、本願の当初請求項に係る発明は、後述する当初発明１〜４２のうち、当初発明３７に相当する。
本発明（第２０実施形態；図１２４）は、
遊技区間として、
遊技者に有利な操作態様を報知しない第一区間（通常区間）と、
遊技者に有利な操作態様を報知可能な第二区間（有利区間）とを有し、
第二区間であることを報知可能な特定報知手段（有利区間表示ＬＥＤ７７）と、
管理情報（有利区間割合等）を表示可能な所定の表示手段（管理情報表示ＬＥＤ７４）と、
前記特定報知手段を用いて報知させるための所定プログラム（ＬＥＤ表示制御（I_LED_OUT ））を少なくとも記憶した第１制御領域（ＲＯＭ５４の使用領域）と、
前記所定の表示手段のセグメントを点灯させるための特定プログラム（比率表示処理（S_LED_OUT ））を少なくとも記憶した第２制御領域（ＲＯＭ５４の使用領域外）と
を備え、
割込み処理（I_INTR）によって、第１制御領域に記憶された所定プログラムと、第２制御領域に記憶された特定プログラムを実行可能とし、
前記所定の表示手段は、第１表示部（デジット６）、第２表示部（デジット７）、第３表示部（デジット８）、及び第４表示部（デジット９）を有し、
第１表示部及び第２表示部により、管理情報として、所定の割合に関する情報を表示していることを示す所定の識別情報（情報種別）を表示可能とし、
第３表示部及び第４表示部により、管理情報として、前記所定の割合に関する情報（数値（比率））を表示可能とする
ことを特徴とする。
【手続補正５】
【補正対象書類名】明細書
【補正対象項目名】０００６
【補正方法】変更
【補正の内容】
【０００６】
本発明によれば、特定報知手段に係る所定プログラムと所定の表示手段に係る特定プログラムとを分けて記憶しておき、それぞれ所定プログラム及び特定プログラムの実行により特定報知手段の報知及び所定の表示手段の表示を行うので、プログラムの記憶や実行を効率よく行うことができる。
また、所定の表示手段の異なる表示部を用いて識別情報と所定の割合に関する情報とを表示するので、表示内容の明確化を図ることができる。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、特定当選役を含む複数種類の当選役の当否を当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、
非特定演出状態、および、前記非特定演出状態とは異なる特定演出状態を含む、複数種類の演出状態のいずれかに移行させる状態移行手段と、
遊技の進行に応じて演出を実行する演出制御手段と、
を備え、
前記当選種別抽選では、複数の当選役が重複して決定される場合があり、
前記特定当選役と他の当選役が重複した特定当選種別が前記当選種別抽選により決定された場合に、所定の遊技利益が付与され、
前記特定当選種別が前記当選種別抽選により決定され前記遊技利益が付与され得る場合に、前記演出状態が前記非特定演出状態であれば、前記非特定演出状態が中断されて前記遊技利益が付与され、前記演出状態が前記特定演出状態であれば、前記特定演出状態の終了以降に前記遊技利益が付与されることを特徴とする遊技機。
【請求項２】
前記演出制御手段は、
前記特定当選種別が前記当選種別抽選により決定された遊技において、前記演出状態が前記非特定演出状態であれば、前記特定当選役の入賞を補助する特別演出を実行し、前記演出状態が前記特定演出状態であれば、前記特別演出を不実行とすることを特徴とする請求項１に記載の遊技機。
【請求項３】
前記非特定演出状態には、前記演出制御手段によって前記当選役の入賞を補助する補助演出が実行される第１演出状態が含まれ、
前記特定演出状態には、前記第１演出状態よりも有利な、前記補助演出が実行される第２演出状態が含まれ、
前記状態移行手段は、
前記特定当選種別が前記当選種別抽選により決定された場合に、前記遊技利益として、前記演出状態を、前記第２演出状態よりも有利な第３演出状態に移行させることを特徴とする請求項１または２に記載の遊技機。
【手続補正２】
【補正対象書類名】明細書
【補正対象項目名】０００８
【補正方法】変更
【補正の内容】
【０００８】
上記課題を解決するために、本発明の遊技機は、スタートスイッチの操作に基づき、特定当選役を含む複数種類の当選役の当否を当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された前記ストップスイッチに対応する回転リールをそれぞれ停止制御するリール制御手段と、非特定演出状態、および、前記非特定演出状態とは異なる特定演出状態を含む、複数種類の演出状態のいずれかに移行させる状態移行手段と、遊技の進行に応じて演出を実行する演出制御手段と、を備え、前記当選種別抽選では、複数の当選役が重複して決定される場合があり、前記特定当選役と他の当選役が重複した特定当選種別が前記当選種別抽選により決定された場合に、所定の遊技利益が付与され、前記特定当選種別が前記当選種別抽選により決定され前記遊技利益が付与され得る場合に、前記演出状態が前記非特定演出状態であれば、前記非特定演出状態が中断されて前記遊技利益が付与され、前記演出状態が前記特定演出状態であれば、前記特定演出状態の終了以降に前記遊技利益が付与される。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
変動表示を実行し、遊技者にとって有利な有利状態に制御可能な遊技機であって、
遊技者の動作を検出する検出手段と、
変動表示のリーチ中における第１期間および第２期間において、前記検出手段への遊技者の動作を促進させる促進表示を実行可能な促進表示手段と、を備え、
前記促進表示の態様は、第１促進表示態様と前記第１促進表示よりも遊技者から認識されやすい第２促進表示態様とを含み、
前記促進表示手段は、
前記第１期間においては前記第１促進表示態様による促進表示を前記第２促進表示態様による促進表示よりも高い割合で実行し、
前記第２期間においては前記第２促進表示態様による促進表示を前記第１促進表示態様による促進表示よりも高い割合で実行する、遊技機。
【手続補正２】
【補正対象書類名】明細書
【補正対象項目名】０００７
【補正方法】変更
【補正の内容】
【０００７】
（１）  変動表示を実行し、遊技者にとって有利な有利状態（大当り遊技状態等）に制御可能な遊技機（パチンコ遊技機１等）であって、
遊技者の動作を検出する検出手段（プッシュセンサ１２４等）と、
変動表示のリーチ中における第１期間（リーチの中盤等）および第２期間（リーチの終盤等）において、前記検出手段への遊技者の動作を促進させる促進表示（図１５（ｅ），（ｇ）に示すような、小ボタン画像６２，大ボタン画像６３等）を実行可能な促進表示手段（演出制御用マイクロコンピュータ１００が、演出表示装置９にボタン画像を表示する処理等）と、を備え、
前記促進表示の態様は、第１促進表示態様（小ボタン画像６２等）と前記第１促進表示よりも遊技者から認識されやすい第２促進表示態様（大ボタン画像６３等）とを含み、
前記促進表示手段は、
前記第１期間においては前記第１促進表示態様による促進表示を前記第２促進表示態様による促進表示よりも高い割合で実行し（図１７（Ａ），（Ｂ）に示すように、第１期間では、大ボタン画像よりも小ボタン画像を高い割合で表示するように決定する等）、
前記第２期間においては前記第２促進表示態様による促進表示を前記第１促進表示態様による促進表示よりも高い割合で実行する（図１７（Ｃ），（Ｄ）に示すように、第２期間では、小ボタン画像よりも大ボタン画像を高い割合で表示するように決定する等）。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
撮像素子を有し、術部を撮影する顕微鏡部と、
前記顕微鏡部を先端側で保持する保持部と、
を備え、
前記保持部は、前記顕微鏡部の光軸と略一致する第１の回転軸まわりに回動可能に前記顕微鏡部を支持する第１回転軸部を有し、
前記顕微鏡部からは、前記撮像素子に関する信号を伝送する信号ケーブル、及び撮影用の照明光を導光するライトガイドを少なくとも含むケーブル群が、前記第１回転軸部の筐体内部を介して外部に向かって延設され、
前記ケーブル群は、前記顕微鏡部から前記第１回転軸部の筐体内部に向かう際に前記第１の回転軸と一致しない位置で前記第１の回転軸と略平行な方向に延設され、かつ、前記第１回転軸部の筐体内部において前記第１の回転軸と直交する面と略平行な方向に延設される、
医療用観察装置。
【請求項２】
前記第１回転軸部は、
前記顕微鏡部に接続され、前記第１の回転軸まわりに前記顕微鏡部とともに回転する第１の回転部材と、
前記顕微鏡部が接続される側とは逆側において、前記第１の回転部材を前記第１の回転軸まわりに回転可能に支持する第２の回転部材と、
を有し、
前記ケーブル群は、前記第１の回転部材の内部において、前記第１の回転軸と直交する面と略平行な方向に延設される、
請求項１に記載の医療用観察装置。
【請求項３】
前記第１の回転部材は、
前記顕微鏡部に接続され、前記第１の回転軸と略直交する平面を有する第１の部材と、
前記第１の回転軸と略直交する平面を有し、前記第１の回転部材について前記顕微鏡部が接続される側とは逆側において、前記平面が前記第１の回転部材の前記平面と前記第１の回転軸方向に所定の間隔を有するように配設される第２の部材と、
前記第１の部材の前記平面と、前記第２の部材の前記平面とを、前記第１の回転軸方向において接続する接続部材と、
を有し、
前記ケーブル群は、前記第１の部材の前記平面と前記第２の部材の前記平面との間の空間において、前記第１の回転軸と直交する面と略平行な方向に延設される、
請求項２に記載の医療用観察装置。
【請求項４】
前記接続部材の前記第１の回転軸と直交する面における断面積は、前記第１の部材の前記平面において、前記顕微鏡部が前記第１の回転軸まわりに可動範囲の限界まで回転した際に屈曲した前記ケーブル群によって囲まれる領域の面積よりも小さい、
請求項３に記載の医療用観察装置。
【請求項５】
前記第１回転軸部は、
前記顕微鏡部に接続され、前記第１の回転軸まわりに前記顕微鏡部とともに回転する第１の回転部材と、
前記顕微鏡部を前記第１の回転軸まわりに回転可能に支持する第２の回転部材と、
を有し、
前記第１の回転部材は、前記第１の回転軸と略直交する平面を有し、
前記第２の回転部材は、前記第１の回転軸と略直交する平面を有し、前記第１の回転部材について前記顕微鏡部が接続される側とは逆側において、前記平面が前記第１の回転部材の前記平面と前記第１の回転軸方向に所定の間隔を有するように配設され、
前記ケーブル群は、前記第１の回転部材の前記平面と前記第２の回転部材の前記平面との間の空間において、前記第１の回転軸と直交する面と略平行な方向に延設される、
請求項１に記載の医療用観察装置。
【請求項６】
前記第１回転軸部の筐体内部において前記第１の回転軸と直交する面と略平行な方向に前記ケーブル群が延設される空間を、前記第１の回転軸と平行な方向に少なくとも２つの空間に分割する、仕切り板が設けられる、
請求項１〜５のいずれか１項に記載の医療用観察装置。
【請求項７】
前記信号ケーブル及び前記ライトガイドは、前記仕切り板によって形成された互いに異なる空間にそれぞれ延設される、
請求項６に記載の医療用観察装置。
【請求項８】
前記信号ケーブルは、細線同軸ケーブルによって構成される、
請求項１〜７のいずれか１項に記載の医療用観察装置。
【請求項９】
前記第１回転軸部は、前記顕微鏡部の基端を支持する、
請求項１〜８のいずれか１項に記載の医療用観察装置。
【請求項１０】
前記第１の回転部材は、前記顕微鏡部の基端に接続される、
請求項２〜４、及び６〜８のいずれか１項に記載の医療用観察装置。
【請求項１１】
撮像素子を有し、術部を撮影する顕微鏡部と、
前記顕微鏡部を先端側で保持する保持部と、
を有する、医療用観察装置と、
前記医療用観察装置によって撮影された映像を表示する表示装置と、
を備え、
前記医療用観察装置においては、
前記保持部は、前記顕微鏡部の光軸と略一致する第１の回転軸まわりに回動可能に前記顕微鏡部を支持する第１回転軸部を有し、
前記顕微鏡部からは、前記撮像素子に関する信号を伝送する信号ケーブル、及び撮影用の照明光を導光するライトガイドを少なくとも含むケーブル群が、前記第１回転軸部の筐体内部を介して外部に向かって延設され、
前記ケーブル群は、前記顕微鏡部から前記第１回転軸部の筐体内部に向かう際に前記第１の回転軸と一致しない位置で前記第１の回転軸と略平行な方向に延設され、かつ、前記第１回転軸部の筐体内部において前記第１の回転軸と直交する面と略平行な方向に延設される、
医療用観察システム。
【手続補正２】
【補正対象書類名】明細書
【補正対象項目名】０１３０
【補正方法】変更
【補正の内容】
【０１３０】
回転部４９０の外周においても同様に、信号ケーブル１１３の束及びライトガイド１１５の束が、回転部４９０において第３軸Ｏ３に対してケーブル群１１６（すなわち、信号ケーブル１１３及びライトガイド１１５）が離して配置される方向（紙面縦方向）に重ねて配置された状態で、結束部材４９２ａ、４９２ｂによってそれぞれ固定される。図示する例では、連結部４７２での配置に応じて、信号ケーブル１１３の束が紙面下側、すなわち第３軸Ｏ３により近い側に位置し、その上にライトガイド１１５の束が重ねて配置されているが、連結部４７２での両者の重なり方が逆であれば、回転部４９０での両者の重なり方も逆になる。
【手続補正３】
【補正対象書類名】図面
【補正対象項目名】図５
【補正方法】変更
【補正の内容】
【図５】
2018046999.tif 000001
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
可変表示を行うことが可能な遊技機であって、
可変表示が開始されてから表示結果が導出表示されるまでに仮停止させた後に可変表示を再度実行する再可変表示を実行可能な再可変表示実行手段と、
再可変表示を含む可変表示ごとに所定演出を実行可能な所定演出実行手段と、
再可変表示が特定回数実行されることにもとづいて、前記所定演出の少なくとも一部が視認困難または視認しにくい態様となる特定演出を実行可能な特定演出実行手段と、
遊技者が操作可能な操作手段と、を備え、
前記所定演出実行手段は、再可変表示が前記特定回数実行され且つ前記特定演出が実行される場合と、再可変表示が前記特定回数実行されるが前記特定演出が実行されない場合とで、前記特定回数目の再可変表示より前の可変表示において異なる割合により前記所定演出を実行する
ことを特徴とする遊技機。
【請求項２】
可変表示を行うことが可能な遊技機であって、
可変表示が開始されてから表示結果が導出表示されるまでに仮停止させた後に可変表示を再度実行する再可変表示を実行可能な再可変表示実行手段と、
再可変表示を含む可変表示ごとに所定演出を実行可能な所定演出実行手段と、
再可変表示が特定回数実行されることにもとづいて、前記所定演出よりも優先して特定演出を実行可能な特定演出実行手段と、
遊技者が操作可能な操作手段と、を備え、
前記所定演出実行手段は、再可変表示が前記特定回数実行され且つ前記特定演出が実行される場合と、再可変表示が前記特定回数実行されるが前記特定演出が実行されない場合とで、前記特定回数目の再可変表示より前の可変表示において異なる割合により前記所定演出を実行する
ことを特徴とする遊技機。
【手続補正２】
【補正対象書類名】明細書
【補正対象項目名】０００９
【補正方法】変更
【補正の内容】
【０００９】
（手段１）本発明による遊技機は、可変表示を行うことが可能な遊技機であって、可変表示が開始されてから表示結果が導出表示されるまでに仮停止させた後に可変表示を再度実行する再可変表示（例えば、擬似連の再変動）を実行可能な再可変表示実行手段（例えば、演出制御用マイクロコンピュータ１００における擬似連を伴う変動パターンに従ってステップＳ８０１〜Ｓ８０３を実行する部分）と、再可変表示を含む可変表示ごと（例えば、擬似連を伴う変動表示における初回変動および各再変動）に所定演出（例えば、セリフ予告演出）を実行可能な所定演出実行手段（例えば、演出制御用マイクロコンピュータ１００におけるステップＳ８００２でセリフ予告演出を決定したときにステップＳ８００３でセリフ予告演出に応じたプロセステーブルを選択してステップＳ８００５，Ｓ８１０５を実行する部分。ステップＳ８１１０でセリフ予告演出に応じたプロセスデータに切り替えてステップＳ８１０５を実行する部分。）と、再可変表示が特定回数（例えば、再変動３回）実行されることにもとづいて、所定演出の少なくとも一部が視認困難または視認しにくい態様（例えば、ムービー予告演出によってセリフ予告演出の一部のみが遮蔽されるような態様）となる特定演出（例えば、ムービー予告演出）を実行可能な特定演出実行手段（例えば、演出制御用マイクロコンピュータ１００におけるステップＳ８１１３〜Ｓ８１１９を実行する部分）と、遊技者が操作可能な操作手段（例えば、スティックコントローラ１２２やプッシュボタン１２０）と、を備え、所定演出実行手段は、再可変表示が特定回数実行され且つ特定演出が実行される場合と、再可変表示が特定回数実行されるが特定演出が実行されない場合とで、特定回数目の再可変表示より前の可変表示において異なる割合により所定演出を実行する（例えば、演出制御用マイクロコンピュータ１００は、ステップＳ６５１０の再決定の処理を実行することによって、ムービー予告演出が実行される場合には、再変動２回目までのセリフ予告演出を再決定することにより、セリフ予告Ｃなど大当りに対する期待度（信頼度）が高い種類のセリフ予告演出が再変動２回目までに実行される割合を高める）ことを特徴とする。そのような構成によれば、所定演出の出現バランスの最適化を図ることができる。
【手続補正３】
【補正対象書類名】明細書
【補正対象項目名】００１０
【補正方法】変更
【補正の内容】
【００１０】
（手段２）本発明による遊技機の他の態様は、可変表示を行うことが可能な遊技機であって、可変表示が開始されてから表示結果が導出表示されるまでに仮停止させた後に可変表示を再度実行する再可変表示（例えば、擬似連の再変動）を実行可能な再可変表示実行手段（例えば、演出制御用マイクロコンピュータ１００における擬似連を伴う変動パターンに従ってステップＳ８０１〜Ｓ８０３を実行する部分）と、再可変表示を含む可変表示ごと（例えば、擬似連を伴う変動表示における初回変動および各再変動）に所定演出（例えば、セリフ予告演出）を実行可能な所定演出実行手段（例えば、演出制御用マイクロコンピュータ１００におけるステップＳ８００２でセリフ予告演出を決定したときにステップＳ８００３でセリフ予告演出に応じたプロセステーブルを選択してステップＳ８００５，Ｓ８１０５を実行する部分。ステップＳ８１１０でセリフ予告演出に応じたプロセスデータに切り替えてステップＳ８１０５を実行する部分。）と、再可変表示が特定回数（例えば、再変動３回）実行されることにもとづいて、所定演出よりも優先して（例えば、ムービー予告演出によってセリフ予告演出を覆うような態様で）特定演出（例えば、ムービー予告演出）を実行可能な特定演出実行手段（例えば、演出制御用マイクロコンピュータ１００におけるステップＳ８１１３〜Ｓ８１１９を実行する部分）と、遊技者が操作可能な操作手段（例えば、スティックコントローラ１２２やプッシュボタン１２０）と、を備え、所定演出実行手段は、再可変表示が特定回数実行され且つ特定演出が実行される場合と、再可変表示が特定回数実行されるが特定演出が実行されない場合とで、特定回数目の再可変表示より前の可変表示において異なる割合により所定演出を実行する（例えば、演出制御用マイクロコンピュータ１００は、ステップＳ６５１０の再決定の処理を実行することによって、ムービー予告演出が実行される場合には、再変動２回目までのセリフ予告演出を再決定することにより、セリフ予告Ｃなど大当りに対する期待度（信頼度）が高い種類のセリフ予告演出が再変動２回目までに実行される割合を高める）ことを特徴とする。そのような構成によれば、所定演出の出現バランスの最適化を図ることができる。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
３個のＨ−ＮＯＸ単量体を含む三量体型Ｈ−ＮＯＸタンパク質であって、各Ｈ−ＮＯＸ単量体が、Ｔ．ｔｅｎｇｃｏｎｇｅｎｓｉｓ  Ｈ−ＮＯＸドメインおよび三量体形成ドメインを含み、各Ｈ−ＮＯＸ単量体における該Ｈ−ＮＯＸドメインが、Ｌ１４４Ｆ置換を含み、各Ｈ−ＮＯＸ単量体における該三量体形成ドメインが、バクテリオファージＴ４フィブリチンのフォルドンドメインであり、各Ｈ−ＮＯＸ単量体における該Ｈ−ＮＯＸドメインが、アミノ酸リンカーを介してバクテリオファージＴ４フィブリチンの該フォルドンドメインに融合している、三量体型Ｈ−ＮＯＸタンパク質。
【請求項２】
前記３個のＨ−ＮＯＸ単量体の各々がＰＥＧ化されている、請求項１に記載の三量体型Ｈ−ＮＯＸタンパク質。
【請求項３】
各Ｈ−ＮＯＸ単量体における前記Ｈ−ＮＯＸドメインのＣ末端が、アミノ酸リンカーを介してバクテリオファージＴ４フィブリチンのフォルドンドメインに融合している、請求項１または２に記載の三量体型Ｈ−ＮＯＸタンパク質。
【請求項４】
前記アミノ酸リンカーが、３、４、５、６、７、８、９、または１０個のアミノ酸の長さである、請求項１〜３のいずれか一項に記載の三量体型Ｈ−ＮＯＸタンパク質。
【請求項５】
前記アミノ酸リンカーが、３個のアミノ酸の長さである、請求項４に記載の三量体型Ｈ−ＮＯＸタンパク質。
【請求項６】
前記アミノ酸リンカーが、Ｇｌｙ−Ｓｅｒ−Ｇｌｙリンカーである、請求項１〜３のいずれか一項に記載の三量体型Ｈ−ＮＯＸタンパク質。
【請求項７】
各Ｈ−ＮＯＸ単量体が、配列番号８のアミノ酸配列を含む、請求項１または２に記載の三量体型Ｈ−ＮＯＸタンパク質。
【請求項８】
前記三量体型Ｈ−ＮＯＸタンパク質のＮＯ反応性が、２０℃で７００ｓ−１未満である、請求項１〜７のいずれか一項に記載の三量体型Ｈ−ＮＯＸタンパク質。
【請求項９】
前記三量体型Ｈ−ＮＯＸタンパク質の酸素に対するｋｏｆｆが、２０℃で０．６５ｓ−１以下である、請求項１〜８のいずれか一項に記載の三量体型Ｈ−ＮＯＸタンパク質。
【請求項１０】
請求項１〜７のいずれか一項に記載の三量体型Ｈ−ＮＯＸタンパク質および薬学的に許容されるキャリアまたは賦形剤を含む医薬組成物。
【請求項１１】
密閉されたバイアル中の請求項１〜７のいずれか一項に記載の前記三量体型Ｈ−ＮＯＸタンパク質を含むキット。
【請求項１２】
請求項１〜７のいずれか一項に記載の三量体型Ｈ−ＮＯＸタンパク質を含む静脈内バッグ。
【請求項１３】
Ｔ．ｔｅｎｇｃｏｎｇｅｎｓｉｓ  Ｈ−ＮＯＸドメインおよび三量体形成ドメインを含む融合Ｈ−ＮＯＸタンパク質であって、該Ｔ．ｔｅｎｇｃｏｎｇｅｎｓｉｓ  Ｈ−ＮＯＸドメインが、配列番号２におけるＬ１４４Ｆアミノ酸置換を除き配列番号２のアミノ酸配列を有し、
該三量体形成ドメインが、バクテリオファージＴ４フィブリチンのフォルドンドメインであり、
該Ｈ−ＮＯＸドメインが、アミノ酸リンカーを介して該バクテリオファージＴ４フィブリチンのフォルドンドメインに融合している、融合Ｈ−ＮＯＸタンパク質。
【請求項１４】
前記Ｈ−ＮＯＸドメインのＣ末端が、アミノ酸リンカーを介して前記バクテリオファージＴ４フィブリチンのフォルドンドメインに融合している、請求項１３に記載の融合Ｈ−ＮＯＸタンパク質。
【請求項１５】
前記アミノ酸リンカーが、３、４、５、６、７、８、９、または１０個のアミノ酸の長さである、請求項１３または１４に記載の融合Ｈ−ＮＯＸタンパク質。
【請求項１６】
前記アミノ酸リンカーが、３個のアミノ酸の長さである、請求項１５に記載の融合Ｈ−ＮＯＸタンパク質。
【請求項１７】
前記アミノ酸リンカーが、Ｇｌｙ−Ｓｅｒ−Ｇｌｙリンカーである、請求項１３または１４に記載の融合Ｈ−ＮＯＸタンパク質。
【請求項１８】
前記融合タンパク質が、配列番号８のアミノ酸配列を含む、請求項１３に記載の融合Ｈ−ＮＯＸタンパク質。
【請求項１９】
請求項１〜９のいずれか一項に記載の三量体型Ｈ−ＮＯＸタンパク質を含む、がんの治療を必要とする哺乳動物におけるがんを治療するための医薬組成物。
【請求項２０】
前記がんが、脳がん、肺がん、結腸直腸がん、または皮膚がんである、請求項１９に記載の医薬組成物。
【請求項２１】
前記がんが脳がんである、請求項２０に記載の医薬組成物。
【請求項２２】
前記脳がんが神経膠芽腫である、請求項２１に記載の医薬組成物。
【請求項２３】
前記がんが神経膠腫である、請求項１９に記載の医薬組成物。
【請求項２４】
前記治療が、前記哺乳動物への放射線の投与をさらに含む、請求項１９〜２３のいずれか一項に記載の医薬組成物。
【請求項２５】
前記治療が、前記哺乳動物への化学療法の投与をさらに含む、請求項１９〜２４のいずれか一項に記載の医薬組成物。
【請求項２６】
請求項１〜９のいずれか一項に記載の三量体型Ｈ−ＮＯＸタンパク質を含む、腫瘍低酸素の低下を必要とする哺乳動物における腫瘍低酸素を低下させるための医薬組成物。
【請求項２７】
前記哺乳動物がヒトである、請求項１９〜２６のいずれか一項に記載の医薬組成物。
【請求項２８】
静脈内投与のための、請求項１９〜２７のいずれか一項に記載の医薬組成物。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
サーモコッカス・エスピー９°Ｎ−７（Ｔｈｅｒｍｏｃｏｃｃｕｓ  ｓｐ．９°Ｎ−７）由来の野生型ＤＮＡポリメラーゼにおけるウラシルの結合に関するアミノ酸配列のうち少なくとも２つのアミノ酸の改変を有するものであり、該改変が配列番号７に示されるアミノ酸配列におけるＹ７に改変を有し、かつ、Ｐ３６又はＶ９３に相当するアミノ酸のうちの少なくとも１つを改変したものであって、該改変が（ａ）〜（ｃ）に示すものである、野生型ＤＮＡポリメラーゼよりもウラシルの感受性が低いことを特徴とする改変型ＤＮＡポリメラーゼ。
（ａ）Ｙ７に相当するアミノ酸の改変が、Ｙ７Ａ、Ｙ７Ｇ、Ｙ７Ｖ、Ｙ７Ｌ及びＹ７Ｉからなる群より選ばれるいずれかのアミノ酸置換である
（ｂ）Ｐ３６に相当するアミノ酸の改変が、Ｐ３６Ｈ、Ｐ３６Ｋ及びＰ３６Ｒからなる群より選ばれるいずれかのアミノ酸置換である
（ｃ）Ｖ９３に相当するアミノ酸の改変が、Ｖ９３Ｈ、Ｖ９３Ｋ及びＶ９３Ｒからなる群より選ばれるいずれかのアミノ酸置換である
【請求項２】
少なくとも２つのアミノ酸の改変が、Ｙ７Ａ及びＰ３６Ｈのアミノ酸置換である請求項１に記載の改変型ＤＮＡポリメラーゼ。
【請求項３】
少なくとも２つのアミノ酸の改変が、Ｙ７Ａ及びＰ３６Ｋのアミノ酸置換である請求項１に記載の改変型ＤＮＡポリメラーゼ。
【請求項４】
少なくとも２つのアミノ酸の改変が、Ｙ７Ａ及びＰ３６Ｒのアミノ酸置換である請求項１に記載の改変型ＤＮＡポリメラーゼ。
【請求項５】
少なくとも２つのアミノ酸の改変が、Ｙ７Ａ及びＶ９３Ｋのアミノ酸置換である請求項１に記載の改変型ＤＮＡポリメラーゼ。
【請求項６】
少なくとも２つのアミノ酸の改変が、Ｙ７Ａ及びＶ９３Ｒのアミノ酸置換である請求項１に記載の改変型ＤＮＡポリメラーゼ。
【請求項７】
少なくとも２つのアミノ酸の改変が、Ｐ３６Ｈ及びＶ９３Ｋのアミノ酸置換である請求項１に記載の改変型ＤＮＡポリメラーゼ。
【請求項８】
３’−５’エキソヌクレアーゼ活性領域に関するアミノ酸配列のうち、配列番号７に示されるアミノ酸配列におけるＤ１４１、Ｉ１４２、Ｅ１４３、Ｈ１４７、Ｎ２１０及びＹ３１１に相当するアミノ酸のうちの少なくとも１つの改変（ただし、Ｎ２１０Ｄを除く）を更に有する請求項１〜７のいずれかに記載の改変型ＤＮＡポリメラーゼ。
【請求項９】
３’−５’エキソヌクレアーゼ活性領域のアミノ酸配列の改変がＤ１４１Ａ及びＥ１４３Ａである請求項８に記載の改変型ＤＮＡポリメラーゼ。
【請求項１０】
３’−５’エキソヌクレアーゼ活性領域のアミノ酸配列の改変がＩ１４２Ｒである請求項８に記載の改変型ＤＮＡポリメラーゼ。
【請求項１１】
３’−５’エキソヌクレアーゼ活性領域のアミノ酸配列の改変がＹ３１１Ｆである請求項８に記載の改変型ＤＮＡポリメラーゼ。
【請求項１２】
前記改変型ＤＮＡポリメラーゼがＨ１４７Ｅ又はＨ１４７Ｄのアミノ酸置換を更に含む請求項１〜１１のいずれかに記載の改変型ＤＮＡポリメラーゼ。
【請求項１３】
請求項１〜１２のいずれかに記載の改変型ＤＮＡポリメラーゼを使用することを特徴とする核酸増幅方法。
【請求項１４】
請求項１〜１２のいずれかに記載の改変型ＤＮＡポリメラーゼを使用して、イノシンを含んだプライマーを用いることを特徴とする核酸増幅方法。
【請求項１５】
請求項１〜１２のいずれかに記載の改変型ＤＮＡポリメラーゼを使用して、バイサルファイト処理したＤＮＡを増幅することを特徴とする核酸増幅方法。
【請求項１６】
請求項１〜１２のいずれかに記載の改変型ＤＮＡポリメラーゼを使用して増幅した核酸を、ウラシル−ＤＮＡグリコシラーゼを用いて分解する工程を含むことを特徴とする核酸増幅方法。
【請求項１７】
請求項１〜１２のいずれかに記載の改変型ＤＮＡポリメラーゼを含む核酸増幅用試薬。
【請求項１８】
請求項１７に記載の核酸増幅用試薬を含むキット。
【手続補正書】
【提出日】令和1年9月11日(2019.9.11)
【手続補正１】
【補正対象書類名】特許請求の範囲
【補正対象項目名】請求項１
【補正方法】変更
【補正の内容】
【請求項１】
遊技球が入球可能な第１状態と該第１状態よりも入球困難又は入球不可能な第２状態とに変化可能に構成された可変始動手段と、
普通図柄始動手段が遊技球を検出することに基づいて普通図柄を変動表示可能な普通図柄表示手段と、
前記普通図柄表示手段による変動後の停止図柄が所定態様となった場合に、前記可変始動手段が前記第１状態に変化する普通利益状態を発生可能な普通利益状態発生手段と、
前記可変始動手段への遊技球の入球に基づいて特別図柄を変動表示可能な特別図柄表示手段と、
前記特別図柄表示手段による変動後の停止図柄が第１態様となった場合に第１利益状態を発生させる第１利益状態発生手段と、
前記第１利益状態の終了後に特別遊技状態を発生可能な特別遊技状態発生手段とを備え、
前記特別遊技状態の開始後における前記普通利益状態の回数が所定回数に達した場合に前記特別遊技状態を終了し、
前記特別遊技状態中は、それ以外の遊技状態中に比べて、前記普通利益状態で前記可変始動手段が前記第１状態となる時間が長くなるように構成された
遊技機において、
前記特別遊技状態の開始前に開始し、開始後に終了する前記普通利益状態については前記回数にカウントしない
ことを特徴とする遊技機。
【手続補正２】
【補正対象書類名】明細書
【補正対象項目名】０００５
【補正方法】変更
【補正の内容】
【０００５】
本発明は、遊技球が入球可能な第１状態と該第１状態よりも入球困難又は入球不可能な第２状態とに変化可能に構成された可変始動手段２１と、普通図柄始動手段１９が遊技球を検出することに基づいて普通図柄を変動表示可能な普通図柄表示手段３５と、前記普通図柄表示手段３５による変動後の停止図柄が所定態様となった場合に、前記可変始動手段２１が前記第１状態に変化する普通利益状態を発生可能な普通利益状態発生手段６５と、前記可変始動手段２１への遊技球の入球に基づいて特別図柄を変動表示可能な特別図柄表示手段３８と、前記特別図柄表示手段３８による変動後の停止図柄が第１態様となった場合に第１利益状態を発生させる第１利益状態発生手段７６と、前記第１利益状態の終了後に特別遊技状態を発生可能な特別遊技状態発生手段７７とを備え、前記特別遊技状態の開始後における前記普通利益状態の回数が所定回数に達した場合に前記特別遊技状態を終了し、前記特別遊技状態中は、それ以外の遊技状態中に比べて、前記普通利益状態で前記可変始動手段が前記第１状態となる時間が長くなるように構成された遊技機において、前記特別遊技状態の開始前に開始し、開始後に終了する前記普通利益状態については前記回数にカウントしないように構成したものである。
また、前記回数をカウントするためのカウンタＣ２を備え、前記普通利益状態の開始時に、前記特別遊技状態中であることを条件に前記カウンタＣ２を更新し、前記普通利益状態の終了時に、前記カウンタＣ２の値に基づいて前記回数が前記所定回数に達したと判定した場合に前記特別遊技状態を終了するように構成してもよい。この場合、前記普通利益状態の終了時に、前記特別遊技状態中であることを条件に前記特別遊技状態の終了に関する前記判定を行うようにしてもよい。また、前記特別遊技状態の開始時に前記所定回数を前記カウンタＣ２にセットし、前記普通利益状態の開始時に、前記特別遊技状態中であることを条件に前記カウンタＣ２の値を１減算し、前記普通利益状態の終了時に、前記カウンタＣ２の値が０である場合に前記回数が前記所定回数に達したと判定するようにしてもよい。
また、遊技球が入球可能な開状態と該開状態よりも入球困難又は入球不可能な閉状態とに変化可能に構成され且つ入球した遊技球を特定領域４４ａとそれ以外の領域４４ｂとに振り分ける特定入球手段２２と、前記特別図柄表示手段３８による変動後の停止図柄が第２態様となった場合に、前記特定入球手段２２が所定時間前記開状態となる第２利益状態を発生させる第２利益状態発生手段７５と、前記特定入球手段２２に入球した遊技球が前記特定領域４４ａに案内された場合に第３利益状態を発生させる第３利益状態発生手段７６とを備え、前記特別遊技状態発生手段７７は前記第３利益状態の終了後にも前記特別遊技状態を発生可能としてもよい。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
基板と、
前記基板上に実装された第１の複数のＬＥＤ素子および前記第１の複数のＬＥＤ素子を封止する第１の封止樹脂で構成され、シアン色の光を出射する第１の発光部と、
前記基板上に実装された第２の複数のＬＥＤ素子および前記第２の複数のＬＥＤ素子を封止する第２の封止樹脂で構成され、赤色光を出射する第２の発光部と、
前記第１および第２の発光部を取り囲むように前記基板上に実装された第３の複数のＬＥＤ素子および前記第３の複数のＬＥＤ素子を封止する第３の封止樹脂で構成され、青色光を出射する第３の発光部と、
前記第３の発光部を取り囲むように前記基板上に実装された第４の複数のＬＥＤ素子および前記第４の複数のＬＥＤ素子を封止する第４の封止樹脂で構成され、緑色光を出射する第４の発光部と、
を有することを特徴とする発光装置。
【請求項２】
円環部および前記円環部の中心を通り前記円環部を２分する直線部を有し、前記基板上に固定された第１の樹脂枠と、
前記第１の樹脂枠を取り囲むように前記基板上に固定された円環状の第２の樹脂枠と、
前記第２の樹脂枠を取り囲むように前記基板上に固定された円環状の第３の樹脂枠と、をさらに有し、
前記第１の発光部は、前記第１の樹脂枠の前記円環部および前記直線部により画定される一方の半円領域に配置され、
前記第２の発光部は、前記第１の樹脂枠の前記円環部および前記直線部により画定される他方の半円領域に配置され、
前記第３の発光部は、前記第１の樹脂枠と前記第２の樹脂枠の間の環状領域に配置され、
前記第４の発光部は、前記第２の樹脂枠と前記第３の樹脂枠の間の環状領域に配置されている、請求項１に記載の発光装置。
【請求項３】
前記第１の複数のＬＥＤ素子と前記第２の複数のＬＥＤ素子は、前記第１の樹脂枠の前記直線部に関して線対称かつ前記第１の樹脂枠の中心に関して点対称に配置され、
前記第３の複数のＬＥＤ素子は、前記第１の樹脂枠と前記第２の樹脂枠の間で同心円状に配置され、
前記第４の複数のＬＥＤ素子は、前記第２の樹脂枠と前記第３の樹脂枠の間で同心円状に配置されている、請求項２に記載の発光装置。
【請求項４】
前記基板の上面における前記第３の樹脂枠よりも外周側に、前記第１から第４の発光部にそれぞれ対応する第１から第４の電極端子が設けられている、請求項２または３に記載の発光装置。
【請求項５】
前記第１から第４の複数のＬＥＤ素子は、前記第１から第４の発光部のそれぞれにおいて、ボンディングワイヤにより互いに電気的に接続され、
前記基板の上面には、前記第１から第４の複数のＬＥＤ素子と前記第１から第４の電極端子とをそれぞれ電気的に接続する第１から第４の配線パターンが設けられ、
前記第１および第２の配線パターンは、前記第３および第４の封止樹脂の下を通って、前記第１の樹脂枠の前記円環部の下に延在し、
前記第３および第４の複数のＬＥＤ素子の前記ボンディングワイヤは、前記第１および第２の配線パターンを跨いでいる、請求項４に記載の発光装置。
【請求項６】
前記基板は、
前記第１から第４の複数のＬＥＤ素子が実装された金属基板と、
前記第１から第４の発光部に対応する位置に複数の開口部を有し、前記第１から第４の電極端子および前記第１から第４の配線パターンが上面に設けられ、前記金属基板の上面に固定された回路基板と、
を有する、請求項５に記載の発光装置。
【請求項７】
前記第１、第２および第４の複数のＬＥＤ素子は、紫外から青色の波長域の光を発し、
前記第１の封止樹脂は、前記第１の複数のＬＥＤ素子からの光を吸収してシアン色に発光する蛍光体を含有し、
前記第２の封止樹脂は、前記第２の複数のＬＥＤ素子からの光を吸収して赤色に発光する蛍光体を含有し、
前記第４の封止樹脂は、前記第４の複数のＬＥＤ素子からの光を吸収して緑色に発光する蛍光体を含有する、請求項１〜６のいずれか一項に記載の発光装置。